(57)【要約】【課題】  雪吊り作業に用いる吊り紐の係止が簡易で、該作業が能率的かつ省力的となる雪吊り具と該雪吊り具用吊り紐固定具を提供すること。【解決手段】  支柱６に嵌着される円筒状の嵌着体１の頂部に外郭円形の座盤２を設けるとともに、周面の適所に押しボルト１bを螺着し、座盤２の周縁に所要高さで周設される円環体３には係止溝３aが所要数凹設され、座盤２上には各態様の吊り紐固定具４が配設される。【選択図】  図２
2007282525.tif 000002
【特許請求の範囲】
【請求項１】
支柱に嵌着される円筒状の嵌着体の頂部に外郭円形の座盤を設けるとともに、周面の適所に押しボルトを螺着し、該座盤の周縁に所要高さで周設される円環体には係止溝が所要数凹設され、座盤上には各態様の吊り紐固定具が配設されて成る雪吊り具。
【請求項２】
座盤に嵌着体の内周と連通する同径の貫通孔を開口して成る請求項１記載の雪吊り具。
【請求項３】
座盤の中央を貫通して嵌着体の頂部に向けてネジ孔を配設して成る請求項１記載の雪吊り具。
【請求項４】
ビス孔を配設した固定板に立設されたスタンドと、該スタンドに両端が揺動自在に係着される所要数の係止環とから成り、座盤上で吊り紐を拘束して成る雪吊り具用吊り紐固定具。
【請求項５】
前記係止環が横向き又は縦向きに２系列に配列されて成る請求項４記載の雪吊り具用吊り紐固定具。
【請求項６】
前記係止環に滑り止めが被覆されて成る請求項４又は５記載の雪吊り具用吊り紐固定具。
【請求項７】
前記座盤の中央に立設されるネジ軸と、該ネジ軸に遊嵌される押さえ盤と、該押さえ盤の上部でネジ軸に外嵌されるコイルスプリングと、該コイルスプリングの上部でネジ軸に螺合される押圧ナットとから成る雪吊り具用吊り紐固定具。
【請求項８】
正面視矩形枠で底板の上面に部分的に突起を立設したスタンドと、該スタンドの左右の周壁に上下方向で後傾状に各段に係止凹部が横設された溝部と、両溝部に左右の軸部が案内され、軸本体全長に渡って多数条の係止突起が周設される押さえ棒とから成る雪吊り具用吊り紐固定具。
【発明の詳細な説明】
【技術分野】
【０００１】
本発明は、庭木等の樹木の枝が雪の重みで折れないように枝を吊り紐で支える作業、いわゆる雪吊り作業に用いる雪吊り具と、その細部である吊り紐固定具に関する。
【背景技術】
【０００２】
従来から提案されている雪吊り技術は種々あるが、特に樹木に沿わせて立設される支柱の頂部或いは胴部に取着されて吊り紐を固定する金具についての先行技術は、特開平８−８４５３６号公報（特許文献１）、特開２００１−３７３５４号公報（特許文献２）、登録実用新案第３０３１３０５号（特許文献３）、及び登録実用新案第３１０８３４０号（特許文献４）で提案されている。
特許文献１における技術は、支柱２０の頂部に固定する冠体１０の周面に設けられる透孔１２や係合用透孔１４にロープ材１６を引っ掛けるものであり、特許文献２は支柱１の上端部に形成されたリング環５の挿通孔６に吊り紐２２を吊下するものであり、特許文献３は支柱１の上端部に設けられた頂冠具１４の周上に掛止孔１４aが設けられ掛止孔１４aに吊紐２を引っ掛けられるものであり、特許文献４は支柱５に遊嵌され適宜な位置でボルトで固定される円筒体の周面に多数の吊り縄挿通孔２を設け吊り縄挿通孔２に吊り縄６を通して吊下するものである。
以下の特許文献１乃至特許文献４に開示された先行技術は、共にエンドレスの孔に吊り紐などの樹枝支持用材が係止されるのでその作業が面倒である。
【特許文献１】特開平８−８４５３６号公報
【特許文献２】特開２００１−３７３５４号公報
【特許文献３】登録実用新案第３０３１３０５号
【特許文献４】登録実用新案第３１０８３４０号
【発明の開示】
【発明が解決しようとする課題】
【０００３】
本発明は、雪吊り作業に用いる吊り紐の係止が簡易で、該作業が能率的かつ省力的となる雪吊り具と該雪吊り具用吊り紐固定具を提供する。
【課題を解決するための手段】
【０００４】
本発明の請求項１に記載した雪吊り具は、支柱に嵌着される円筒状の嵌着体の頂部に外郭円形の座盤を設けるとともに、周面の適所に押しボルトを螺着し、該座盤の周縁に所要高さで周設される円環体には係止溝が所要数凹設され、座盤上には吊り紐固定具が配設されて成る。
また、請求項２に記載した雪吊り具は、請求項１に記載した雪吊り具において、
座盤に嵌着体の内周と連通する同径の貫通孔を開口して成る。
また、請求項３に記載した雪吊り具は、請求項１に記載した雪吊り具において、
座盤の中央を貫通して嵌着体の頂部に向けてネジ孔を配設して成る。
また、請求項４に記載した雪吊り具用吊り紐固定具は、ビス孔を配設した固定板に立設されたスタンドと、該スタンドに両端が揺動自在に係着される所要数の係止環とから成り、座盤上で吊り紐を拘束して成る。
また、請求項５に記載した雪吊り具用吊り紐固定具は、請求項４記載の雪吊り具用吊り紐固定具において、前記係止環が横向き又は縦向きに２系列に配列されて成る。
また、請求項６に記載した雪吊り具用吊り紐固定具は、請求項４又は５記載の雪吊り具用吊り紐固定具において、前記係止環に滑り止めが被覆されて成る。
さらに、請求項７に記載した雪吊り具用吊り紐固定具は、前記座盤の中央に立設されるネジ軸と、該ネジ軸に遊嵌される押さえ盤と、該押さえ盤の上部でネジ軸に外嵌されるコイルスプリングと、該コイルスプリングの上部でネジ軸に螺合される押圧ナットとから成る。
さらに、請求項８に記載した雪吊り具用吊り紐固定具は、正面視矩形枠で底板の上面に部分的に突起を立設したスタンドと、該スタンドの左右の周壁に上下方向で後傾状に各段に係止凹部が横設された溝部と、両溝部に左右の軸部が案内され、軸本体全長に渡って多数条の係止突起が周設される押さえ棒とから成る。
【発明の効果】
【０００５】
本発明によれば、庭木などの樹木の雪吊り作業において吊り紐の振り分けや係止が簡易であるため、その作業が能率的かつ省力的となり、吊り紐固定具は吊り紐が係止環に挿通係止されるものから挟持されるものなど多種に渡って座盤上に配設され得るから、雪吊り規模の大小に広範に対応できる効果がある。
【発明を実施するための最良の形態】
【０００６】
本発明において、円環体に形成される係止溝は、一定の溝幅のものから上端から下端に向けて階段状にその溝幅を狭くするなどで提供される。また、飾り体を接合するネジ孔は嵌着体の頂部に一体に螺設されるものから、頂部に着脱自在に螺着されるネジ軸に螺設されるものなどである。このほか、吊り紐固定具におけるネジ軸は嵌着体に一体に立設されるものから、着脱自在に立設されるものなどが選択される。
【実施例１】
【０００７】
本発明を実施例により説明すると、図１、図２に示すように雪吊り具Ａは、円筒状で周面の適所にネジ孔１aが貫通螺設されネジ孔１aに押しボルト１bが螺着された嵌着体１と、嵌着体１の上端周縁に周設される輪状の座盤２と、座盤２の周縁に所要高さで周設される円環体３と、円環体３の上端から適宜な分割数で凹設される係止溝３aと、座盤２の上面の適所（本例では４個所）に配設される各種（本例では同一）の吊り紐固定具４とから成る。
ここで吊り紐固定具４を説明すると、ビス孔４aの配設された固定板４bの上面にスタンド４cが立設され、スタンド４cの上方には横向きに２列の係止環４dが揺動自在に係着されて成り、固定板４bが座盤２にビス止めされる。
【０００８】
このようにして成る雪吊り具Ａは、図１１に示すように、庭木などの樹木５に沿わせて立設した支柱６の頂部（場合によっては嵌着体１の内周が座盤２の上面に開口しているから適宜な位置）に嵌着体１の周面がネジ孔１aに螺着された押しボルト１bによって固着され、座盤２に固定された吊り紐固定具４の係止環４dに縄などの吊り紐７が複数本結ばれ、すなわち、本実施例では円環体３に凹設される係止溝３aが１２個に対し吊り紐固定具４が４個であるから、最大限で係止環４dに結ばれる吊り紐７は３本で各係止溝３aに振り分けられて垂下され、支えるべき枝８を支持する。
【実施例２】
【０００９】
本発明の雪吊り具Ｂは、図３に示すように、専ら支柱６の頂部に嵌着される先細り円筒状で周面の適所に貫通螺設されたネジ孔１aに押しボルト１bが螺着された嵌着体１と、嵌着体１の頂面に接合される円盤状の座盤２と、座盤２の周縁に所要高さで周設される円環体３と、円環体３の上端から適宜な分割数で凹設される係止溝３aと、座盤２の上面の適所（４個所）に固定板４bのビス孔４aを介して固定される吊り紐固定具４とから成る。
ここで使用される吊り紐固定具４は前記の吊り紐固定具４と同一のものであるがこのものに限定されるものでもなく、後述する各種のタイプで代替され得る。
【００１０】
このようにして成る雪吊り具Ｂは、庭木などの樹木５に添設される支柱６の頂部に嵌着体１が嵌着され、握り頭部１cが回されて押しボルト１bで嵌着体１が支柱６に固着され、その状態で前記と同様の要領で縄などの吊り紐７が吊り紐固定具４の係止環４dに所要数結ばれ、各吊り紐７は適宜に振り分けられ係止溝３aから垂下され必要個所の枝８の支えに向けられる。
【実施例３】
【００１１】
次の雪吊り具Ｃについて説明すると、図４、図５に示すように、専ら支柱６の頂部に嵌着される先細り円筒状で周面の適所にネジ孔１aが貫通螺設され、ネジ孔１aに押しボルト１bが螺着された嵌着体１と、嵌着体１の頂部に接合される輪状の座盤２と、座盤２の周縁に所要高さで周設される円環体３と、円環体３の上端から適宜な分割数で凹設される係止溝３aと、座盤２の中央に開口する口部９から嵌着体１の頂部に向けて螺設したネジ孔１０と、ネジ孔１０の周縁で座盤２の上面に固定板４bがビス止めされる前記と同様の吊り紐固定具４とから成る。
【００１２】
このようにして成る雪吊り具Ｃは、前記と同様に庭木などの樹木５に添設される支柱６の頂部に嵌着体１の周面が押しボルト１bで固着され、座盤２の中央に螺設されたネジ孔１０には適宜な飾り体（図外）が螺着され、吊り紐固定具４の係止環４dに所要本数の吊り紐７が結ばれ、各係止溝３aに振り分けられて垂下され、各吊り紐７は支えるべき枝８を支える。
【実施例４】
【００１３】
次の雪吊り具Ｄについて説明すると、図６、図７に示すように、先細り円筒状で周面の適所にネジ孔１aが貫通螺設され、ネジ孔１aに押しボルト１bが螺着された嵌着体１と、嵌着体１の頂部に接合される輪状の座盤２と、座盤２の周縁に所要高さで周設される円環体３と、円環体３の上端から適宜な分割数で凹設され階段状に末細りの係止溝３aと、座盤２の中央に開口する口部９から嵌着体１の頂部に向けて螺設したネジ孔１０と、座盤２の中央に配設される吊り紐固定具１１とから成る。
ここで、使用する吊り紐固定具１１について説明すると、前記ネジ孔１０に螺合して立設されるネジ軸１１aと、ネジ軸１１aに遊嵌されその外周が円環体３の内周に収められ底面に多数条の突起１１bが垂下された押さえ盤１１cと、ネジ軸１１aに螺着される押圧ナット１１dと、ネジ軸１１aに外嵌され下端が押さえ盤１１cに係着され上端が押圧ナット１１dに係着されるコイルスプリング１１eとから成る。ネジ軸１１aの上部内方には飾り体を結合するためのネジ孔１１fが螺設されて成る。
【００１４】
このようにして成る雪吊り具Ｄも前記と同様に、支柱６の頂部に嵌着体１が押しボルト１bで固着され、吊り紐７が階段状の係止溝３aに押し込まれ、その先端がそれぞれの係止溝３aから押さえ盤１１cの下に差し込まれる。この状態で押圧ナット１１dを回してネジ軸１１aにネジ込めば押さえ盤１１cはコイルスプリング１１eの弾発力で押し下げられ、その下面に垂下された突起１１bが吊り紐７に噛み込んで吊り紐７が座盤２に固定される。このように固定された吊り紐７は係止溝３aから垂下されて必要な枝８の吊り上げに供される。
この雪吊り具Ｄでは、吊り紐７を係止溝３aに押し込んでその先端部を押さえ盤１１cで押さえることによって嵌着体１の座盤２に固定できるから、吊り紐７の取り付け固定が極めて簡易となる。
【実施例５】
【００１５】
次に座盤２に固定される吊り紐固定具４の他の実施態様について説明すると、図８に示したものは分図（ｂ）に示すように、ビス孔４aの配設された固定板４bに立設されるスタンド４cには下向きに２本の係止環４dが揺動自在に係着され、上側の係止環４dには平面視で分図（ａ）に示すように、前後にそれぞれ外方に突出したツマミ部４eが形成されて、下側の係止環４dに対して上側の係止環４dを起こし易く係止され易くしている。
この吊り紐固定具４も固定板４bに配設されたビス孔４aを介して固定板４bが座盤２にビス止めされ、それぞれの係止環４dに吊り紐７が挿通されて結び付けられる。
【００１６】
図９に示した吊り紐固定具４は、ビス孔４aの配設された固定板４bに立設されるスタンド４cには分図（ｂ）に示すように、一本の係止環４dが揺動自在に係着されて成り、固定板４bが座盤２にビス止めされ、係止環４dには分図（ａ）に示すように、仮想線で示すとおり吊り紐７の先端が係止環４dの突端の下側から挿し込まれて手前側の上部に出されて下側へ曲げられ、後方の上部から係止環４dの内部へ差し込まれてその突端の下側から出されて本体７aと先端部７bを一緒にして引き込めば、吊り紐７は簡単に係止環４dに結ばれる。このように係止環４dが設けられた吊り紐固定具４では、吊り紐７にこぶを設けたり、わざわざ結び目によって縛ることなく、単に吊り紐７を所定の要領で係止環４dに挿通するのみで締結できる。分図（ｃ）に示したものは係止環４dに滑り止め４fを被覆したもので吊り紐７はより固く締結される。
【実施例６】
【００１７】
次の図１０に示した吊り紐固定具について説明すると、分図（ａ）に示すように正面視矩形枠で底板１２aの上面に部分的（吊り紐７の挿入口側）に突起１２bを多数列立設したスタンド１２cには、左右の周壁１２dに上下方向で後傾状に各段に円弧状の係止凹部１２eが横設された溝部１２fが形成され、両溝部１２fの係止凹部１２eには軸本体１２gの全長に渡り多数条の係止突起１２hが周設される押さえ棒１２iの左右の軸部１２jが案内されて抜け止めされる。
この吊り紐固定具１２を座盤２にビス止めしたときは、スタンド１２cの挿入口から挿し込まれた吊り紐７は底板１２aに立設された突起１２bと押さえ棒１２iの係止突起１２hとに挟持されて吊り紐７は簡単に固定される。
以上のように雪吊り具Ａ乃至Ｄと各種の吊り紐固定具４、１１、１２の実施例を示したものであるが、本発明は、嵌着体１の円環体３に吊り紐７の振り分けに向けられる係止溝３aと座盤２に設ける吊り紐固定具４、１１、１２とを要件とするものであるから、本実施例で示した雪吊り具Ａ乃至Ｄでは、一種類の吊り紐固定具４が対象として示されたが、このものに限定されるものではなく、後述の各種の吊り紐固定具４、１１、１２も対象とされることは勿論のこと、各種の吊り紐固定具４、１１、１２が混在して座盤２に設けられることも勿論である。
【産業上の利用可能性】
【００１８】
本発明は雪吊り作業に用いる吊り紐が係止し易いため、その作業が能率的かつ省力的であるため、造園業関係に貢献できる上、吊り紐固定具の技術範囲が広範であるため製造分野での需要も期待される。
【図面の簡単な説明】
【００１９】
【図１】本発明に係わる雪吊り具Ａの平面図。
【図２】同上雪吊り具Ａの右半分を断面で示した正面図。
【図３】本発明に係わる雪吊り具Ｂの右半分を断面で示した正面図。
【図４】本発明に係わる雪吊り具Ｃの右半分を断面で示した正面図。
【図５】同上雪吊り具Ｃの平面図。
【図６】本発明に係わる雪吊り具Ｄの平面図。
【図７】同上雪吊り具Ｄの上部を破断した正面図。
【図８】吊り紐固定具４の他の実施態様を示す説明図で、（ａ）はその平面図、（ｂ）はその正面図。
【図９】吊り紐固定具４の他の実施態様を示す説明図で、（ａ）はその平面図、（ｂ）はその正面図、（ｃ）は係止環の他の実施態様を示す平面図。
【図１０】吊り紐固定具１２の他の実施態様を示す説明図で、（ａ）はその正面図、（ｂ）はその右側面図。
【図１１】本発明の雪吊り具Ａの使用状態の説明図。
【符号の説明】
【００２０】
１a：ネジ孔
１b：押しボルト
１c：握り頭部
１：嵌着体
２：座盤
３：円環体
３a：係止溝
４：吊り紐固定具
４a：ビス孔
４b：固定板
４c：スタンド
４d：係止環
４e：ツマミ部
４f：滑り止め
５：樹木
６：支柱
７：吊り紐
７a：本体
７b：先端部
８：枝
９：口部
１０：ネジ孔
１１：吊り紐固定具
１１a：ネジ軸
１１b：突起
１１c：押さえ盤
１１d：押圧ナット
１１e：コイルスプリング
１１f：ネジ孔
１２：吊り紐固定具
１２a：底板
１２b：突起
１２c：スタンド
１２d：周壁
１２e：係止凹部
１２f：溝部
１２g：軸本体
１２h：係止突起
１２i：押さえ棒
１２j：軸部
１２k：挿入口
Ａ乃至Ｄ：雪吊り具
【図１】
2007282525.tif 000003
【図２】
2007282525.tif 000004
【図３】
2007282525.tif 000005
【図４】
2007282525.tif 000006
【図５】
2007282525.tif 000007
【図６】
2007282525.tif 000008
【図７】
2007282525.tif 000009
【図８】
2007282525.tif 000010
【図９】
2007282525.tif 000011
【図１０】
2007282525.tif 000012
【図１１】
2007282525.tif 000013
【手続補正書】
【提出日】平成18年5月29日(2006.5.29)
【手続補正１】
【補正対象書類名】明細書
【補正対象項目名】００１７
【補正方法】変更
【補正の内容】
【００１７】
次の図１０に示した吊り紐固定具について説明すると、分図（ａ）に示すように正面視矩形枠で天板１２aの下面に部分的（吊り紐７の挿入口側）に突起１２bを多数列立設したスタンド１２cには、左右の周壁１２dに上下方向で後傾状に各段に円弧状の係止凹部１２eが横設された溝部１２fが形成され、両溝部１２fの係止凹部１２eには軸本体１２gの全長に渡り多数条の係止突起１２hが周設される押さえ棒１２iの左右の軸部１２jが案内されて抜け止めされる。
この吊り紐固定具１２を座盤２にビス止めしたときは、スタンド１２cの挿入口から挿し込まれた吊り紐７は天板１２aに立設された突起１２bと押さえ棒１２iの係止突起１２hとに挟持されて吊り紐７は簡単に固定される。
以上のように雪吊り具Ａ乃至Ｄと各種の吊り紐固定具４、１１、１２の実施例を示したものであるが、本発明は、嵌着体１の円環体３に吊り紐７の振り分けに向けられる係止溝３aと座盤２に設ける吊り紐固定具４、１１、１２とを要件とするものであるから、本実施例で示した雪吊り具Ａ乃至Ｄでは、一種類の吊り紐固定具４が対象として示されたが、このものに限定されるものではなく、後述の各種の吊り紐固定具４、１１、１２も対象とされることは勿論のこと、各種の吊り紐固定具４、１１、１２が混在して座盤２に設けられることも勿論である。
【手続補正２】
【補正対象書類名】明細書
【補正対象項目名】００２０
【補正方法】変更
【補正の内容】
【００２０】
１a：ネジ孔
１b：押しボルト
１c：握り頭部
１：嵌着体
２：座盤
３：円環体
３a：係止溝
４：吊り紐固定具
４a：ビス孔
４b：固定板
４c：スタンド
４d：係止環
４e：ツマミ部
４f：滑り止め
５：樹木
６：支柱
７：吊り紐
７a：本体
７b：先端部
８：枝
９：口部
１０：ネジ孔
１１：吊り紐固定具
１１a：ネジ軸
１１b：突起
１１c：押さえ盤
１１d：押圧ナット
１１e：コイルスプリング
１１f：ネジ孔
１２：吊り紐固定具
１２a：天板
１２b：突起
１２c：スタンド
１２d：周壁
１２e：係止凹部
１２f：溝部
１２g：軸本体
１２h：係止突起
１２i：押さえ棒
１２j：軸部
１２k：挿入口
Ａ乃至Ｄ：雪吊り具
【手続補正３】
【補正対象書類名】図面
【補正対象項目名】図１０
【補正方法】変更
【補正の内容】
【図１０】
2007282525.tif 000014